(57)【要約】  【課題】  水絞り機構付モップの清掃部品の組立及び交換を容易にし、且つ、家具類を傷つけない水絞り機構付モップを提供する。  【解決手段】  綿体８及びベース板７を含む水絞り機構付モップの清掃部品１ａであって、製作者の組立を便利にし、使用者の清掃部品の交換を容易にするように構成することにより目的を達成する。【選択図】図１
0003112343.tif 000002
【実用新案登録請求の範囲】
【請求項１】
機構付連接棒と結合して用いられ水絞り機構付モップの清掃部品であって、該清掃部品は柔軟な吸水性の材質で作られ、且つ、やや条形体に形成されている拭き部と固定部とを有する綿体と、硬質の材質で製作され、下部に前記綿体を固設することができ、その上部は前記モップの連接棒に固設することができるベース板を有し、該ベース板は第一板体と第二板体と数個の固定部品を含み、該第一板体はやや長条体になっており、該第二板体はややＬ字形条形体に形成されて成り、その頂部の中間部には固定部品が設けられており、該第二板体は第一板体とＵ字形体を形成し、前記綿体の固定部を包むことができ、その固定部品は、該二つの板体を該綿体の固定部に容易に固設することができるように構成されたことを特徴とする水絞り機構付モップの清掃部品の固定装置。
【請求項２】
上記固定部品は、Ｔ字形凸上げであることを特徴とする請求項１記載の水絞り機構付モップの清掃部品の固定装置。
【請求項３】
上記固定部品は、凹形凸上げで、その凹部の断面はやや逆Ｔ字形に形成されていることを特徴とする請求項１記載の水絞り機構付モップの清掃部品の固定装置。
【請求項４】
上記固定部品は、凸上げであって、その側壁には数個の孔が設けられていることを特徴とする請求項１記載の水絞り機構付モップの清掃部品の固定装置。
【請求項５】
上記固定部品は、凹形凸上げであって、その両側には複数の孔が開穿されていることを特徴とする請求項１記載の水絞り機構付モップの清掃部品の固定装置。
【考案の詳細な説明】
【技術分野】
【０００１】
本考案は水絞り機構付モップの清掃部品の固定装置に関し、特に、モップの前端に設けて引き拭きができ、固定部品の活用により水絞り機構付モップの連接棒上に清掃部品を固設して、組立・交換操作に便宜を付与した水絞り機構付モップの清掃部品の固定装置に関するものである。
【背景技術】
【０００２】
従来の此種水絞り機構付モップの清掃部品の固定装置を図８〜図１０に従って説明する。図において従来の水絞りモップは、清掃部品１と挟みヘッド２と、握り棒３と、Ｕ字形棒４と、二本の連接棒５と、二つの棒体５６及び数個の水絞り部品５７を含む：
上記清掃部品１はベース板１１及びその下に設けた綿体１２から成り、床面を拭くのに用いられる。
【０００３】
又、上記挟みヘッド２は清掃部品１の上側に跨設されていて、ややＵ字形に形成され、そして、その頂部には貫通孔２１が設けられている。更に、その両側には夫々逆Ｕ字形の凹部が形成されて前後側に各別に左右の棒アーム２３，２４が設けられている。該左右の棒アーム２３，２４の下端部には各別に貫通孔２５，２６が開穿されており、その間に前記凹部から成る開口２７が形成されている。
【０００４】
又、上記握り棒３はその下端部を上記挟みヘッド２の頂部の貫通孔２１に嵌着されていて手で握持できるように構成されている。
【０００５】
更に、上記Ｕ字形棒４は、その上端は握り棒３の中段の個所に枢着され、そして、その末端に手握り４１が形成され、該手握り４１を握持して前記枢着部を介して上下動可能に形成されている。
【０００６】
又、上記連接棒５は、対称的に前記握り棒３の両外側に設けられており、そして、その上端はＵ字形棒４の上端部に枢着されている。更に、その下端は前記挟みヘッド２の左右の開口２２を通し抜けて清掃部品１のベース板１１の上に固設されてＵ字形棒４を上方へ回動させることにより、清掃部品１を上方へ移動させることができるように構成されている。
【０００７】
又、前記棒体５６は、個別に対称的に挟みヘッド２の前後側の左右の棒アーム２３，２４に設けた貫通孔２５，２６に固設されている
更に又、上記水絞り部品５７は、個別に対称的に左右棒アーム２３，２４の間に設けられている前記棒体５６，５８に設けていて、所定のすき間を形成し、綿体１２が該すき間の中に進入した時には該水絞り部品５７が転動して綿体１２を押圧し、綿体１２の水切りができるように構成されている。
【０００８】
そこで、該綿体１２の水分を絞り出す必要がある時には、片手で握り棒３を握り、別の手で該Ｕ字形棒４の握り４１を上に向けて回動させる。然るときは、前記連接棒５がベース板１１を上方へ移動させる綿体１２を引き上げる。このとき、綿体１２は水絞り部品５７のすき間を通過する。然るに、該すき間は固定されており、且つ、該綿体１２の厚さが該すき間よりも大であるので、該綿体１２は水絞り部品５７の押圧力を受けて綿体１２中の水分が圧出される。押圧動作を完了した後は、連接棒５は元の位置に復帰し、綿体１２も元の位置に復帰する。更に、上記Ｕ字形棒４の回動動作を反復することによって該綿体１２の水絞り動作を完了することができる。
【０００９】
又、図８〜図１０に示す従来例の清掃部品は下記のものを含む：綿体１２は柔軟性で吸水する材料から成り、やや条形体に形成されている。拭き部１２１及び該拭き部の上側に設けた固定部１２２がある。及び、断面がＵ字形のベース板１１は、その両側の下縁には鋸歯形の下縁１１１があって、綿体１２の固定部１２２に固設することができる。その頂部は複数の孔１１２が設けられていて、ネジで二本の連接棒５に固設することができる。この従来例は実用的ではあるが、下記のような欠点を有する。
１．組立が不便：清掃部品の左右２個所を二本の連接棒５に固定する必要があるので、組立上相当の時間を要する。
２．交換が不便：所定時間使用した後では、連接棒、ネジ及びベース板の腐錆が生じるので、部品の交換作業に困難性を来す。そこで、モップ全体を廃棄する場合が多いので経費の浪費となる。
３．家具を傷つけ易い：従来の清掃部品と結合する二本の連接棒５は外部に露出しているので、使用時ではこの二本の連接棒は家具に触れて傷つけ易い。
【００１０】
又、鳥居形フレームと、この鳥居形フレームの脚部下端にハンドルによって回転し固定可能に取り付けられた拭き紐束支持ローラーと、上記拭き紐束支持ローラーに向けて付勢され接離及び回転可能に鳥居形フレームの脚部に取り付けられた絞りローラーと、上記拭き紐束支持ローラーを回転させるためのハンドルを固定するクランプとからなるモップも知られている。（例えば、特許文献１参照）
この特許文献１に記載されたモップ組立及び部品交換に難点があり、且つ、ハンドル及びネジ軸、ボス、ナット、ヨークの突き出し部等が柄から外側へ大きく突出しているので、家具等を傷つけ易い。
【特許文献１】特開２０００−１２６１０６号
【考案の開示】
【考案が解決しようとする課題】
【００１１】
上記従来例は何れも実用的ではあるが、組立及び交換作業に不便を来し、家具を傷つけ易いと云う欠点等がある。
【００１２】
そこで、家具類の損傷を可及的に低減し、部品の組立及び交換作業を容易にするために解決せられるべき技術的課題が生じてくるのであり、本考案は該課題を解決することを目的とする。
【課題を解決するための手段】
【００１３】
本考案は上記目的を達成するために提案されたものであり、機構付連接棒と結合して用いられ水絞り機構付モップの清掃部品であって、該清掃部品は柔軟な吸水性の材質で作られ、且つ、やや条形体に形成されている拭き部と固定部とを有する綿体と、硬質の材質で製作され、下部に前記綿体を固設することができ、その上部は前記モップの連接棒に固設することができるベース板を有し、該ベース板は第一板体と第二板体と数個の固定部品を含み、該第一板体はやや長条体になっており、該第二板体はややＬ字形条形体に形成されて成り、その頂部の中間部には固定部品が設けられており、該第二板体は第一板体とＵ字形体を形成し、前記綿体の固定部を包むことができ、その固定部品は、該二つの板体を該綿体の固定部に容易に固設する水絞り機構付モップの清掃部品の固定装置、及び、上記固定部品は、Ｔ字形凸上げである水絞り機構付モップの清掃部品の固定装置、及び、上記固定部品は、凹形凸上げで、その凹部の断面はやや逆Ｔ字形に形成されている水絞り機構付モップの清掃部品の固定装置、及び、上記固定部品は、凸上げであって、その側壁には数個の孔が設けられている水絞り機構付モップの清掃部品の固定装置、並びに上記固定部品は、凹形凸上げであって、その両側には複数の孔が開穿されている水絞り機構付モップの清掃部品の固定装置を提供するものである。
【考案の効果】
【００１４】
本考案の水絞り機構付モップの清掃部品の固定装置によれば、部品の組立及び交換作業が極めて容易に実行されることができる。
【考案を実施するための最良の形態】
【００１５】
本考案は、家具を容易に傷つけることなく、且つ、部品の組立及び交換を容易にすると云う目的を、機構付連接棒と結合して用いられ水絞り機構付モップの清掃部品であって、該清掃部品は柔軟な吸水性の材質で作られ、且つ、やや条形体に形成されている拭き部と固定部とを有する綿体と、硬質の材質で製作され、下部に前記綿体を固設することができ、その上部は前記モップの連接棒に固設することができるベース板を有し、該ベース板は第一板体と第二板体と数個の固定部品を含み、該第一板体はやや長条体になっており、該第二板体はややＬ字形条形体に形成されて成り、その頂部の中間部には固定部品が設けられており、該第二板体は第一板体とＵ字形体を形成し、前記綿体の固定部を包むことができ、その固定部品は、該二つの板体を該綿体の固定部に容易に固設することができるように構成されたことを特徴とする水絞り機構付モップの清掃部品の固定装置を提供することにより実現した。
【実施例】
【００１６】
以下、本考案の好適な実施例を図１乃至図７に従って詳述する。
【００１７】
図１〜図４に示したように、本考案の清掃部品を使用したモップの部品は大略図８及び図９に示した従来例と同じであって、その異なっている点は、握り棒３ａの下縁に長形孔３１が設けている点、及びＵ字形棒４ａの上端部を連接棒５ａに枢設している点、並びに連接棒５ａの下端に連接棒６を枢設し、そして、該連接棒６の下端部に清掃部品１ａを固設している点である。
【００１８】
清掃部品１ａの水絞り原理と従来例の清掃部品１は同じであって、両者の綿体１２，８の部分も同じである。両者の異なっている点は、本考案のベース板７は、第一板体７１と第二板体７２で組成し、該第二板体７２には特殊設計の固定部品があって、この固定部品を用いることで部品の組立及び交換作業が容易となっている。
【００１９】
図１〜図４は本考案の第一実施例を示す。同図において、清掃部品１ａは次のものを含む。綿体８を有し、該綿体８は柔軟性の吸水材料で作ったもので、やや条形体になっていて、拭き部８１及び固定部８２から成る。及び、ベース板７を有し、該ベース板７は硬質の材料で作られていて、その下部に綿体８を固設することができ、その上部に前記モップの連接棒６を設けることができる。その特徴は、該ベース板７は下記のものを含む。
【００２０】
第一板体７１を有し、該第一板体７１はやや長条体に形成されている。及び第二板体７２を有し、該第二板体７２はややＬ字形の条形体に形成されていて、その頂部の中間部に固定部品７４が設けられている。該第二板体７２は第一板体７１とＵ字形体を形成して該綿体８の固定部８２を包むことができる。及び、複数の固定部品７５を有し、該固定部品７５は前記二つの板体を前記綿体８の固定部８２に固設することができる。
【００２１】
以上の組合せによって該固定部品７４は簡単で容易に該連接棒６に固設することができる。従って、部品の組立及び交換作業が極めて容易となる。斯くして、本考案の清掃部品は従来のモップの二本の連接棒５（図９及び図１０に示す。）を使用する必要はない。
【００２２】
ベース板７の剛性を強化するために、前記第二板体７２の左右側部には保護板７６を延設することができる。
【００２３】
この外に、清掃部品１ａのベース板７は、握り棒３ａの中の連接棒５ａ，６に隠されて連設しているので、簡潔な外観を形成することができる。更に、連接棒も家具を傷つける恐れもなく、更に重要なのは部品の組立及び交換作業に便宜を付与することができる。
【００２４】
図５は本考案の第二実施例を示す。同図において、第二板体７２ａの頂部の中間部には固定部品７４ａがあって、該固定部品は凹形の凸上げでその凹部の断面はやや逆Ｔ字形になっている。
【００２５】
図６は本考案の第三実施例を示す。同図において第二板体７２ｂの頂部の中間部には固定部品７４ｂが設けられていて、該固定部品は凸上っている。凸上がりの側壁には複数の孔７８ｂが開穿されており、固定部品７５ｂを挿入して連接棒に固設することができる。      
【００２６】
図７は本考案の第四実施例を示す。同図において第二板体７２ｃの頂部の中間部には固定部品７４ｃがあって、該固定部品は凹形凸上げで、その両側には複数の孔７８ｃが開穿されていて、固定部品７５ｃを挿入して連接棒に固設することができる。
【００２７】
本考案の第一板体と第二板体は金属、プラスチック等の硬質材料で製作することができる。該固定部品は第二板体と一体に成形することができる。又、その上に固設することもできる。
【００２８】
尚、本考案は、本考案の精神を逸脱しない限り種々の改変を為すことができ、そして、本考案が該改変されたものに及ぶことは当然である。
【図面の簡単な説明】
【００２９】
【図１】本考案の水絞り機構付モップの清掃部品を配設している正面図。
【図２】図１の実施例の側面図。
【図３】図１の実施例の水を絞っている時の側面図。
【図４】本考案の第一実施例を示し、その分解図。
【図５】第二実施例の斜視図。
【図６】第三実施例の斜視図。
【図７】第四実施例の斜視図。
【図８】従来例のモップの正面図。
【図９】従来例のモップの側面図。
【図１０】従来例の清掃部品の分解図。
【符号の説明】
【００３０】
１，１ａ        清掃部品
２              挟みヘッド
３，３ａ        握り棒
４，４ａ        Ｕ字形棒
５，５ａ        連接棒
６              連接棒
７              ベース板
８              綿体
１１              ベース板
１２              綿体
２１              貫通孔
２２              開口
２３              左棒アーム
２４              右棒アーム
２５              貫通孔
２６              貫通孔
２７              開口
３１              長形孔
４１              手握り
５６              棒体
５７              水絞り部品
７１              第一板体
７２，７２ａ，７２ｂ，７２ｃ    第二板体
７４，７４ａ，７４ｂ，７４ｃ    固定部品
７５，７５ｂ，７５ｃ            固定部品
７８ｂ，７８ｃ    孔
８１              拭き部
８２              固定部
【図１】
0003112343.tif 000003
【図２】
0003112343.tif 000004
【図３】
0003112343.tif 000005
【図４】
0003112343.tif 000006
【図５】
0003112343.tif 000007
【図６】
0003112343.tif 000008
【図７】
0003112343.tif 000009
【図８】
0003112343.tif 000010
【図９】
0003112343.tif 000011
【図１０】
0003112343.tif 000012